(57)【特許請求の範囲】
【請求項１】
少なくとも表示装置画面パネル相当部分に設けた画面開口部と押圧方向に移動可能に複数個のキーを配列したキーボード部とを備えたフロントケースとリアカバーとを互いに接合し、その内部に閉鎖空間を備え且つ外形が携帯電話機の形状を呈した携帯電話機の形態見本本体と、前記画面開口部に取り付けた透明スクリーンシートの対向内面側に取り付けた疑似画面表示用の表示プレートと、からなる携帯電話やＰＨＳ等の携帯電話機の形態見本であって、前記携帯電話機の形態見本本体の長手方向に亘ってその閉鎖空間内に連続して支持プレートが設けられ、該支持プレートは、前記透明スクリーンシートと対向する位置に表示プレート取付面を備え、該表示プレート取付面に疑似画面表示用の前記表示プレートが取り付けられ、前記支持プレートにおける表示プレート取付面の裏面左右端部に、互いに接合される前記フロントケースとリアカバーとの閉鎖空間内の接合内面近傍に当接して該支持プレートを閉鎖空間内に位置決めする複数個のリブが起立状態に設けられ、それぞれ該リブの先端部には前記支持プレートより外側方に所定長さに突出する位置決め用の張出部が設けられ、該張出部は互いに接合される前記フロントケースとリアカバーとの閉鎖空間内のそれぞれ接合端部内面の近傍に当接して、該支持プレートが閉鎖空間内に不動に位置決めされて、前記支持プレートはフロントケース内面とリアカバー内面との挟み込みにより閉鎖空間内に固定保持されていることを特徴とする携帯電話機の形態見本。
【請求項２】
前記支持プレートは、前記キーボード部に押圧方向に移動可能に配列した複数個のキーの下面に各キー毎に弾力性突起にて上方への付勢力を付与するために敷設される弾力性シートの位置出し面と、その各キーが受ける下方への押圧力の受け面とを備える請求項１記載の携帯電話機の形態見本。
【請求項３】
前記形態見本本体内部の閉鎖空間内に疑似バッテリーが設置されている請求項１又は請求項２記載の携帯電話機の形態見本。
【請求項４】
前記形態見本本体内部の閉鎖空間内に設置した疑似バッテリーは、リアカバー側に設けた開閉可能な外蓋により施蓋されるバッテリー収納部内に設置される請求項３記載の携帯電話機の形態見本。
【請求項５】
前記支持プレートに、実機の重さに合わせた重量の錘が取り付けられている請求項１乃至請求項４のいずれか１項記載の携帯電話機の形態見本。
【請求項６】
前記リアカバーには、出し入れ可能に取り付けたアンテナ及びその収納空間を設けた請求項１乃至請求項５のいずれか１項記載の携帯電話機の形態見本。
【発明の詳細な説明】
【０００１】
【発明の属する技術分野】
本発明は、携帯電話やＰＨＳなどの携帯電話機の商品販売において、消費者にその商品を実機と同等の実感によって分かり易く理解してもらい購買意欲を湧かせるための携帯電話機の形態見本に関する。
【０００２】
【従来の技術】
一般に、ＰＨＳなど携帯電話機の商品販売において、その商品の良さを消費者により良く理解してもらうためには、実機を展示したり、また消費者に実機を形態見本として手にとってもらい、その外観や軽量性や携帯し易さや使い易さなどを理解してもらっている。
【０００３】
しかしながら、実機では汚損したり、あるいは盗難などの心配があり、また実機としてのプラスチック製ハウジング（ケーシング）を成形するための成形金型を完成させるのに時間が掛かる等の問題があった
【０００４】
そのため、実機完成前の金型を用いて、実機と外観的及び感触的には同一のハウジングを成形して、そのハウジングにより実機と同一の外観と感触を有する形態見本を完成させ、その形態見本を商品販売ツールとして使用するようになってきた。
【０００５】
上記形態見本は、実機に対して限りなく近似している必要があり、また、形態見本は、速く、安く製造でき、且つ持った感触が実機に限りなく近いことが必要であるが、そのために、その実機としての商品が製造される時に作製される量産用ハウジングをそのまま用いることによって、早期に安価に作成することができるようになる。
【０００６】
例えば、形態見本の重さを実機の重さに合わせるために、金属板を内部に固定したり、文字などコメントを表示する実機の液晶表示パネル部分に液晶表示パネルに似せたプラスチック製の表示プレートをはめ込んだりするなど、実機の感触や外観や重さにより近くする工夫が必要である。
【０００７】
【発明が解決しようとする課題】
ところで、形態見本専用に、実機とは別にフロントケースやリアカバー等を作成すれば、実機によく発生する嵌合調整等の時間に浪費されることもなく、発売時までに大量の形態見本を作成することができるが、ロットが小さい場合には、それらの金型作成費用が大きく、実現しにくい状況が生じる。
【０００８】
また逆に、実機のために作成した部品を、そのまま使用して形態見本を作成した場合、ほとんど実機と違わない価格が発生してしまう問題がある。
【０００９】
また、例えば実機の重さに合わせるように、形態見本の内部に金属板を固定させるなどの必要があるが、基板やモーター、その他内部の部品がハウジングと直接複雑に嵌合されているため、重量を合わせるための金属板がハウジングのリブ等によって複雑な形状を必要としたり、固定させるための平面等が確保されにくいなどの問題がある。
【００１０】
本発明の課題は、実機が製造される時に作成される量産用のハウジングをそのまま形態見本に使用できるようにすることにより、見本の基本的な部材を製造する際にロットが少ないために見本専用の金型を作成できない場合においても十分にそれに対応できるようにして、安価で生産性の良好な、見栄えのする実機に整合した形態見本を早期に作成し、陳列中に発生した不具合等にも容易にばらして部品を付け替えられるような構造とすることにある。
【００１１】
【課題を解決するための手段】
本発明の請求項１に係る発明は、少なくとも表示装置画面パネル相当部分に設けた画面開口部と押圧方向に移動可能に複数個のキーを配列したキーボード部とを備えたフロントケースとリアカバーとを互いに接合し、その内部に閉鎖空間を備え且つ外形が携帯電話機の形状を呈した携帯電話機の形態見本本体と、前記画面開口部に取り付けた透明スクリーンシートの対向内面側に取り付けた疑似画面表示用の表示プレートと、からなる携帯電話やＰＨＳ等の携帯電話機の形態見本であって、前記携帯電話機の形態見本本体の長手方向に亘ってその閉鎖空間内に連続して支持プレートが設けられ、該支持プレートは、前記透明スクリーンシートと対向する位置に表示プレート取付面を備え、該表示プレート取付面に疑似画面表示用の前記表示プレートが取り付けられ、前記支持プレートにおける表示プレート取付面の裏面左右端部に、互いに接合される前記フロントケースとリアカバーとの閉鎖空間内の接合内面近傍に当接して該支持プレートを閉鎖空間内に位置決めする複数個のリブが起立状態に設けられ、それぞれ該リブの先端部には前記支持プレートより外側方に所定長さに突出する位置決め用の張出部が設けられ、該張出部は互いに接合される前記フロントケースとリアカバーとの閉鎖空間内のそれぞれ接合端部内面の近傍に当接して、該支持プレートが閉鎖空間内に不動に位置決めされて、前記支持プレートは、フロントケース内面とリアカバー内面との挟み込みにより閉鎖空間内に固定保持されていることを特徴とする携帯電話機の形態見本である。
【００１２】
また本発明の請求項２に係る発明は、上記請求項１に係る発明の携帯電話機の形態見本において、前記支持プレートは、前記キーボード部に押圧方向に移動可能に配列した複数個のキーの下面に各キー毎に弾力性突起にて上方への付勢力を付与するために敷設される弾力性シートの位置出し面と、その各キーが受ける下方への押圧力の受け面とを備える携帯電話機の形態見本である。
【００１３】
また本発明の請求項３に係る発明は、上記請求項１又は請求項２に係る発明の携帯電話機の形態見本において、前記形態見本本体内部の閉鎖空間内に疑似バッテリーが設置されている携帯電話機の形態見本である。
【００１４】
また本発明の請求項４に係る発明は、上記請求項３に係る発明の携帯電話機の形態見本において、前記形態見本本体内部の閉鎖空間内に設置した疑似バッテリーは、リアカバー側に設けた開閉可能な外蓋により施蓋されるバッテリー収納部内に設置される携帯電話機の形態見本である。
【００１５】
また本発明の請求項５に係る発明は、上記請求項１乃至請求項４のいずれか１項に係る発明の携帯電話機の形態見本において、前記支持プレートに、実機の重さに合わせた重量の錘が取り付けられている携帯電話機の形態見本である。
【００１６】
また本発明の請求項６に係る発明は、上記請求項１乃至請求項５のいずれか１項に係る発明の携帯電話機の形態見本において、前記リアカバーには、出し入れ可能に取り付けたアンテナ及びその収納空間を設けた携帯電話機の形態見本である。
【００１７】
【発明の実施の形態】
本発明の携帯電話機の形態見本の実施の形態を、図１（ａ）に示す本発明の携帯電話機の形態見本の正面図、図１（ｂ）に示すその右側面図、図１（ｃ）に示すその左側面図、図１（ｄ）に示すその下面図、及び図２に示すその裏面図に従って以下に詳細に説明する。
【００１８】
本発明の携帯電話機の形態見本の本体は、少なくとも、表示装置画面パネル１に相当する部分に設けた画面開口部２と押圧方向に移動可能に複数個のキーを配列したキーボード部３とを備えたフロントケース４と、出し入れ可能に取り付けたアンテナ５及びその収納空間を設けたリアカバー６とが互いに、その接合端縁部４ａ、６ａにて重ね合わせられて接合されており、その内部に閉鎖空間を備えていて、前記フロントケース４とリアカバー６との重ね合わせによる携帯電話機の形態見本の外形は、所定の携帯電話機の見本に形態を合致させて形成されている。
【００１９】
前記フロントケース４の画面開口部２には、透明スクリーンシート７が取り付けられ、その透明スクリーンシート７と対向する閉鎖空間内には、疑似画面表示用の表示プレート８が取り付けられ、また、前記リアカバー６側の閉鎖空間内には、キーボード部３と相対する位置にバッテリー収納ケース１２を備え、該リアカバー６にはバッテリー収納ケース１２を施蓋するための開閉可能なバッテリーカバー１３を備え、疑似バッテリーをバッテリー収納ケース１２内に収納固定することができる。なお、本発明においては、疑似画面表示用の表示プレート８を実物の液晶表示パネルとし、疑似バッテリーを実物のバッテリーとして、液晶表示パネルとバッテリーとを電気配線により接続して、アンテナ５の抜き出しによるスイッチングなどによって、実際のＩＣメモリにより液晶表示パネルにて番号やメッセージなどを表示動作させるようにしてもよい。
【００２０】
前記形態見本本体の内部閉鎖空間内には図１（ｂ）、（ｃ）に示すように、その長手方向に亘って、その閉鎖空間内に連続して支持プレート１０が設けられ、該支持プレート１０は、図１（ｃ）に示すように、前記フロントケース４側に支持プレート１０の外周端部がフロントケース４の内周上端面に密接する状態で収納されるとともに、フロントケース４側の内面であるキーボード部３内面と、リアカバー６側の内面であるバッテリーケース１２外面との挟み込みにより閉鎖空間内に固定保持されている。
【００２１】
図１（ｃ）に示すように、前記フロントケース４のキーボード部３は、それに孔設した複数個のキー孔４ｂ内に、共通のフレキシブルシート３ｂに規則的に突起状に配列して取り付けられた複数個の各々キー３ａ（キーシート）が、該ケース４の上面より突出しないように規制された状態で、該ケース４の内側から装填されている。
【００２２】
該フレキシブルシート３ｂと前記支持プレート１０との間には弾力性のあるシート状の弾力性シート１１が介在され、前記各々キー３ａはその弾力性シート１１によって常に上方に付勢されていて、前記各々キー３ａは上下に弾力的に押圧移動可能となっている。
【００２３】
よって、前記支持プレート１０は、フロントケース４側の内面であるキーボード部３内面にある前記弾力性シート１１と、リアカバー６側の内面であるバッテリーケース１２外面との挟み込みによって閉鎖空間内に固定保持される。なお、弾力性シート１１は、１枚の弾力性のあるゴムシート、発泡シート、スポンジシートなどであってもよいし、あるいは各キー３ａ毎に対応するドーム状に盛り上がった弾力性突起を備えたシートであってもよい。
【００２４】
前記フロントケース４の画面開口部２に取り付けられた透明スクリーンシート７と対向する閉鎖空間内に取り付けられた疑似画面表示用の表示プレート８は、図１（ｂ）に示すように、支持プレート１０の表示プレート取付面１０ａに透明スクリーンシート７と対向（離間対向又は接触対向）して取り付けられている。
【００２５】
図１（ｂ）、（ｃ）に示すように、前記支持プレート１０の弾力性シート１１とバッテリーケース１２外面との前記挟み込み部分１０ｃは見本本体の長手方向に略水平方向に設けられ、表示装置画面パネル１の部分の表示プレート取付面１０ａの部分では、立ち上がり部１０ｂによって透明スクリーンシート７側に接近しながら僅かに傾斜するように設けられている。なお、図１（ａ）中１６は着信表示ランプ点灯用レンズ部、図１（ｂ）中１７はヘッドホンジャック部及びそのキャップ部であり、本発明においては、着信表示ランプ点灯用レンズ部１６内に発光ダイオードなどのランプを設置し、疑似バッテリーを実物のバッテリーとして、発光ダイオードとバッテリーとを電気配線により接続して、アンテナ５の抜き出しによるスイッチングによって、実際にレンズ部１６を透して発光ダイオードを発光表示させるようにしてもよい。
【００２６】
図２中１４はバッテリーケースカバー１３をカバーケース６に係止するためのロック部、１５は必要に応じて設けるハンドストラッドであり、図２に示すように、アンテナ５のロッド５ａ及びそのロッド５ａの末端部５ｂが、見本本体の閉鎖空間の内部で引っかからないようにするために、閉鎖空間内にフレキシブルパイプ５ｃを取付固定し、パイプ５ｃ内面とアンテナ５の末端部５ｂ外面とを密に接触させて、アンテナ５を所定の摺動摩擦抵抗をもって出し入れできるようにしてある。また、ストレートなパイプ５ｃの長手方向の中間部分を僅かに曲げることによりアンテナ５の出し入れに所定の摺動摩擦抵抗を付与することができる。
【００２７】
図３は、前記支持プレート１０の詳細を説明する図であり、（ａ）はＬ−Ｌ断面図、（ｂ）はその裏面図、（ｃ）は下面図であり、前記支持プレート１０は、図３（ａ）、（ｂ）に示すように、表示プレート取付面１０ａ裏面の左右端部には、複数個のリブ１０ｄが起立状態に設けられ、それぞれ該リブ１０ｄの先端部には支持プレート１０より外側方に所定長さに突出する張出部１０ｅが設けられている。
【００２８】
そして、前記リブ１０ｄは、その張出部１０ｅが互いに接合される前記フロントケース４とリアカバー６との閉鎖空間内のそれぞれ接合端部４ａ、６ａ内面の近傍に当接して該支持プレート１０を閉鎖空間内に不動に位置決めするためのものである。
【００２９】
図３（ａ）に示すように、例えば前記リブ１０ｄの起立高さは、支持プレート１０における略水平の平坦部１０ｃの厚さ方向中心を通る仮想平面Ｍ（又は前記フロントケース４とリアカバー６とのそれぞれ接合端部４ａ、６ａの接合平面）に揃うような高さに設定されている。
【００３０】
上記本発明の携帯電話機の形態見本においては、前記支持プレート１０は、前記キーボード部３に押圧方向に移動可能に配列した複数個の各キー３ａの下面に各キー３ａ毎に弾力性突起にて上方への付勢力を付与するために敷設されている弾力性シート１１の位置出し面と、その各キー３ａが受ける下方への押圧力の受け面になるものであり、弾力性シート１１の位置出しのためには、その弾力性シート１１の端部が当接する微少高さの突起部や段差部を支持プレート１０の平坦面１０ｃに設けるものである。
【００３１】
また、前記支持プレート１０の適宜位置には、嵌合取付方式、螺子付け方式、接着剤取付方式などにより、実機の重さに合わせた重量となるように偏平な錘を取り付けることができ、例えば、支持プレート１０の表示プレート取付面１０ａの裏面に偏平な錘を取り付けることができる。
【００３２】
本発明の携帯電話機の形態見本のフロントケース４とリアカバー６、バッテリーケース１２及びそのカバー１３及びロック部１４（摘まみ部）などは、アクリロニトリロ・ブタジエン・スチレン（ＡＢＳ）樹脂でプラスチック成形加工により形成され、イヤホンジャック１７のキャップ部（カバー部）、その他Ｉ／Ｏ部分のカバー部などはゴム材質により形成され、イヤホンジャック１７のキャップ部には正規（実機）のキャップを取り付けた。
【００３３】
また、フロントケース４の開口部２に嵌合される透明スクリーン７やランプ点灯用レンズ１６などはポリメチルメタアクリレートにより作成される。また、キーシート３ｂや弾力性シート１１（例えばポリエチレンテレフタレート製のドームなど）、ハンドストラップ１５などは実機の物を使用することができ、特にキーシート３ｂは導電部分（導電性パターン）を省略したものを使用することができる。またアンテナ５（ＡＳＳＹ）は実機の物を使用するか、内部の電気部品等を外して使用することができる。
【００３４】
本発明の携帯電話機の形態見本の支持プレート１０に関しては、そのプレート１０の裏面側に錘りを両面接着テープなどで付けられる平面部分を必要に応じて１〜２箇所設け、その部分に錘を接着固定するものである。例えば、錘りを支持プレート１０の表示プレート貼付面の裏側に貼り付け、その錘の上には、更に発泡ポリエチレンシートを貼り付けて落下等の衝撃を受けれるようにしてもよい。
【００３５】
支持プレート１０には、支持プレート１０自体を正確な位置に合わせるための凹部や、突起、ボス、などが設けられる。又、実機の部品嵌合のためのリブやボス等から逃げたりする凹部や穴が設けられるし、また、逆に実機の突起を削除する場合もある。
【００３６】
表示プレート８は、例えば、０．３ｍｍ以上の厚みを持たせたポリカーボネート板、ポリメチルメタアクリレート板、ポリエチレンテレフタレート板等の透光性を持った板材を利用し、また、必要に応じてその板材の表面側に、表示文字や柄を印刷し、且つ、裏面側に背景の色を印刷することができる。
【００３７】
例えば、表示プレート８は、厚さ０．５ｍｍのポリカーボネート樹脂板の表面側に、文字や記号など液晶表示例を液晶のドットの大きさに合わせたドットで印刷しておく。また裏面側にはその表示の色を印刷するか、その色のシートを貼り付ける。そして、さらにそれに両面粘着テープを通して貼り付けるものである。
【００３８】
【発明の効果】
本発明の携帯電話機の形態見本は、陳列中に発生した不具合等にも容易にばらして部品を付け替えられる構造であり、特に支持プレートを内部に装着固定した形態見本の構造であるので、ロットが少ない故に基本的な部材を専用の金型を作成し、その金型を用いて成形加工できない場合にも、十分に対応できる効果がある。
【００３９】
このように、本発明の上記携帯電話機の形態見本は、上記のような構造であって、安価で生産性が良好で且つ見栄えの良い強度のある見本であり、金型製作も支持プレートだけが必要なだけなので、立ち上げがスムーズに行い易く、製品に合った形態見本を容易に提供できる特徴がある。
【図面の簡単な説明】
【図１】（ａ）は本発明の形態見本の正面図、（ｂ）はその右側面図、（ｃ）はその左側面図、（ｄ）はその下面図。
【図２】本発明の形態見本の裏面図。
【図３】（ａ）は本発明の形態見本の内部に装着される支持プレートの詳細を示す裏面図、（ｂ）はその側断面図、（ｃ）は下面図。
【符号の説明】
１…表示装置画面パネル  ２…表示画面開口部  ３…キーボード部  ３ａ…キー３ｂ…フレキシブルシート（キーシート）  ４…フロントケース  ５…アンテナ６…リアカバー  ７…スクリーンシート  ８…表示プレート
１０…支持プレート  １１…弾力性シート  １２…バッテリーケース
１３…バッテリーケースカバー
【図１】
0004345116.tif 000002
【図２】
0004345116.tif 000003
【図３】
0004345116.tif 000004